(57)【要約】【課題】従来の撮像装置では音声のみが記録されるため、静止画像の撮像が行われる際に動画像も記録したいという要望を満たすことができなかったため、このような問題を解決すべく静止画像の撮像の際に動画像も記録すること。【解決手段】撮像装置であって、ユーザーによってレリーズ釦が全押しされること等により入力される撮像指示に基づいて、動画像の撮像を行う動画撮像制御部と、上記の撮像指示の入力に基づいて、動画像の撮像が開始された後に静止画像の撮像を行う静止画撮像制御部と、を備える。【選択図】図２
2011010072.tif 000002
【特許請求の範囲】
【請求項１】
撮像指示の入力に基づいて所定の開始タイミングから終了タイミングまでの動画像の撮像を行う動画撮像制御部と、
前記撮像指示の入力に基づいて、前記動画像の撮像が終了した後に静止画像の撮像を行う静止画撮像制御部と、
を備える撮像装置。
【請求項２】
請求項１に記載の撮像装置において、
前記動画撮像制御部は、動画像データが記録される画像記録部の空き容量に基づいて動画像の撮像パラメータを決定し、決定された撮像パラメータに基づいて前記動画像の撮像を行うことを特徴とする撮像装置。
【請求項３】
請求項１又は２に記載の撮像装置において、
前記動画撮像制御部は、動画像の所定の撮像時間に基づいて撮像した場合に生成される動画像データの容量が動画像データの記録される画像記録部の空き容量を超えない場合には、前記所定の撮像時間で前記動画像の撮像を行い、前記動画像データの容量が前記画像記録部の空き容量を超える場合には、動画像データが記録される画像記録部の空き容量に基づいて動画像の撮像時間を決定し、決定された撮像時間で前記動画像の撮像を行うことを特徴とする撮像装置。
【請求項４】
請求項３に記載の撮像装置において、
前記動画撮像制御部は、前記撮像時間に基づいて前記撮像指示の入力から前記動画像の撮像を開始するまでの時間を決定し、決定された時間が前記撮像指示の入力から経過したときに前記動画像の撮像を開始することを特徴とする撮像装置。
【請求項５】
請求項１〜４のいずれかに記載の撮像装置において、
前記動画撮像制御部は、前記静止画撮像制御部によって前記静止画の撮像が行われる前に前記動画像の撮像を行い、前記静止画の撮像が行われた後にも所定の時間だけさらに動画像の撮像を行うことを特徴とする撮像装置。
【発明の詳細な説明】
【技術分野】
【０００１】
本発明は、静止画像及び動画像を撮像する撮像装置に関する。
【背景技術】
【０００２】
従来、撮影時の状況を記録する撮像装置が提案されている。例えば、撮影のタイミングで周囲の音を自動録音して記録する撮像装置が提案されている（特許文献１参照）。この撮像装置は、具体的にはレリーズスイッチから半押し操作信号が入力されると所定時間経過まで音声データを記憶し、レリーズスイッチから全押し操作信号が入力されると撮影を行い音声データと画像データとを関連づけてメモリカードに記録する。
【先行技術文献】
【特許文献】
【０００３】
【特許文献１】特開２００７−１２４７１３号公報
【発明の概要】
【発明が解決しようとする課題】
【０００４】
しかしながら、上記の撮像装置では音声のみが記録されるため、静止画像の撮像が行われる際に動画像も記録したいという要望を満たすことができないという問題があった。上記事情に鑑み、本発明は、静止画像の撮像の際に動画像も記録することを可能とする撮像装置を提供することを目的としている。
【課題を解決するための手段】
【０００５】
本発明の一態様は、撮像装置であって、撮像指示の入力に基づいて所定の開始タイミングから終了タイミングまでの動画像の撮像を行う動画撮像制御部と、前記撮像指示の入力に基づいて、前記動画像の撮像が終了した後に静止画像の撮像を行う静止画撮像制御部と、を備える。
【０００６】
本発明の一態様は、上記の撮像装置であって、前記動画撮像制御部は、動画像データが記録される画像記録部の空き容量に基づいて動画像の撮像パラメータを決定し、決定された撮像パラメータに基づいて前記動画像の撮像を行うことを特徴とする。
【０００７】
本発明の一態様は、上記の撮像装置であって、前記動画撮像制御部は、動画像の所定の撮像時間に基づいて撮像した場合に生成される動画像データの容量が動画像データの記録される画像記録部の空き容量を超えない場合には、前記所定の撮像時間で前記動画像の撮像を行い、前記動画像データの容量が前記画像記録部の空き容量を超える場合には、動画像データが記録される画像記録部の空き容量に基づいて動画像の撮像時間を決定し、決定された撮像時間で前記動画像の撮像を行うことを特徴とする。
【０００８】
本発明の一態様は、上記の撮像装置であって、前記動画撮像制御部は、前記撮像時間に基づいて前記撮像指示の入力から前記動画像の撮像を開始するまでの時間を決定し、決定された時間が前記撮像指示の入力から経過したときに前記動画像の撮像を開始することを特徴とする。
【０００９】
本発明の一態様は、上記の撮像装置であって、前記動画撮像制御部は、前記静止画撮像制御部によって前記静止画の撮像が行われる前に前記動画像の撮像を行い、前記静止画の撮像が行われた後にも所定の時間だけさらに動画像の撮像を行うことを特徴とする。
【発明の効果】
【００１０】
本発明の撮像装置では、撮像指示の入力に基づいて、動画撮像制御部が動画像の撮像を行い、静止画撮像制御部が静止画像の撮像を行う。そのため、静止画像の撮像の際に動画像も記録することが可能となる。
【図面の簡単な説明】
【００１１】
【図１】第一実施形態における撮像装置の外観を表す図である。
【図２】第一実施形態における撮像装置の機能構成を表す概略ブロック図である。
【図３】撮像モードが動画付きセルフタイマーモードに設定されている場合の第一実施形態における撮像装置の動作を表すフローチャートである。
【図４】第一実施形態の撮像装置の動作の概略を表すタイムチャートである。
【図５】撮像装置がこのように変形して構成された場合の動作を表すフローチャートである。
【図６】第二実施形態における撮像装置の動作を表すフローチャートである。
【図７】第二実施形態の撮像装置の動作の概略を表すタイムチャートである。
【発明を実施するための形態】
【００１２】
［第一実施形態］
図１は、第一実施形態における撮像装置１の外観を表す図である。図１は、撮像装置１がコンパクトデジタルスチルカメラとして構成される場合の機能構成を表すが、撮像装置１は一眼レフレックス・デジタルスチルカメラやビデオカメラや撮像機能付き携帯電話機等の各種撮像装置として構成されても良いし、レンズ交換式であるか否かも問われない。図１Ａは撮像装置１の表面を表す図であり、図１Ｂは撮像装置１の裏面を表す図である。撮像装置１は、筐体の表面に、電源スイッチ１０１、レリーズ釦１０２、ストロボ１０３、鏡筒１０４、ディスプレイ１０５、モード選択ボタン１０６を備える。
【００１３】
電源スイッチ１０１は、ユーザーが撮像装置１の電源オン・オフ状態を切り替えるための指示を入力するための操作部である。電源スイッチ１０１がユーザーによって押下されると、電源オン・オフ状態を切り替える指示が撮像装置１に入力される。レリーズ釦１０２は、ユーザーが撮像装置１に撮像指示を入力するための操作部である。撮像装置１が電源オン状態である場合にレリーズ釦１０２がユーザーによって押下（全押し）されると、撮像指示が撮像装置１に入力される。ストロボ１０３は、撮像装置１の設定に応じて撮像時に発光する発光装置である。鏡筒１０４は撮像光学系を内部に備える。ディスプレイ１０５は、液晶ディスプレイや有機ＥＬディスプレイ等の画像表示装置によって構成され、撮像された画像や各種の情報を表示する。モード選択ボタン１０６は、ユーザーが撮像装置１の撮像モードを切り替えるための指示を入力するための操作部である。撮像モードとは、撮像装置１の制御状態を示し、例えば静止画モードや、動画モードや、動画付きセルフタイマーモードなどがある。
【００１４】
図２は、第一実施形態における撮像装置１の機能構成を表す概略ブロック図である。撮像装置１は、バスで接続されたＣＰＵ（Central Processing Unit）やメモリや補助記憶装置などを備え、撮像装置１の制御プログラムを実行することによって、撮像光学系２０１、撮像部２０２、操作部２０３、画像記録部２０４、カウンタ２０５、静止画撮像制御部２０６、動画撮像制御部２０７を備える装置として機能する。
【００１５】
撮像光学系２０１は、１枚以上のレンズや絞りによって構成され、撮像部２０２の撮像面に被写体の光を結像させる。撮像部２０２は、ＣＭＯＳセンサー（Complementary Metal Oxide Semiconductor）やＣＣＤ（Charge Coupled Device）等の受光素子が配列されて構成され、撮影光学系２０１を透過した被写体からの光を受光して電気信号に変換する。
【００１６】
操作部２０３は、撮像装置１をユーザーが操作するための各種のスイッチやボタン等を有する。操作部２０３は、例えば電源スイッチ１０１やレリーズ釦１０２やモード選択ボタン１０６や、その他の各種ボタン等によって構成される。画像記録部２０４は、磁気ハードディスク装置や半導体記憶装置等の記憶装置を用いて構成され、静止画撮像制御部２０６によって撮像された静止画像の電子データ（以下、「静止画像データ」という。）や、動画撮像制御部２０７によって撮像された動画像の電子データ（以下、「動画像データ」という。）を記録する。
【００１７】
カウンタ２０５は、撮像モードが動画付きセルフタイマーモードに設定されている場合、操作部２０３によって撮像指示が入力されると計時を開始し、各時点での計時結果を静止画撮像制御部２０６及び動画撮像制御部２０７に出力する。
【００１８】
図３は、撮像モードが動画付きセルフタイマーモードに設定されている場合の第一実施形態における撮像装置１の動作を表すフローチャートである。まず、ステップＳ１０１において、カウンタ２０５、静止画撮像制御部２０６及び動画撮像制御部２０７は、現在の撮像モードが動画付きセルフタイマーモードであるか否か判定する。現在の撮像モードが動画付きセルフタイマーモードでない場合には、カウンタ２０５、静止画撮像制御部２０６、動画撮像制御部２０７は、図３のフローチャートに表される動作ではなく、設定されている他の撮像モードに応じてそれぞれ動作する。
【００１９】
現在の撮像モードが動画付きセルフタイマーモードである場合、撮像装置１はユーザーが操作部２０３を操作して撮像指示が入力されるまで待機する。ステップＳ１０２において、ユーザーによって撮像指示が入力されると、ステップＳ１０３においてカウンタ２０５は計時を開始し、動画撮像制御部２０７は撮像部２０２を動画撮像モードに設定し動画像の撮像を開始する。動画撮像モードとは撮像部２０２の制御状態の一つであり、動画撮像モードに設定された撮像部２０２は全ての受光素子から電気信号を出力するのではなく、所定の一部の受光素子から電気信号を出力する。動画撮像モードでは、このように所定の一部の受光素子のみから電気信号が出力されるため、全ての受光素子から電気信号が出力される場合に比べて動画撮像制御部２０７の処理対象となる電気信号の量が少なくなる。そのため、動画撮像制御部２０７は高速に処理を行うことが可能となり、静止画像の撮像よりも処理負荷の高い動画像の撮像処理をリアルタイム処理に近い速さで実行することが可能となる。
【００２０】
動画撮像制御部２０７は第一撮像時間が経過するまでカウンタ２０５の出力を監視し、ステップＳ１０４において第一撮像時間が経過すると、ステップＳ１０５において動画撮像制御部２０７は動画撮像を終了する。第一撮像時間は、予め撮像装置１において設定される値であり、静止画像が撮像される前に動画撮像制御部２０７が動画像を撮像する時間を表す。第一実施形態の撮像装置１では、第一撮像時間と、セルフタイマーとして設定される時間（撮像指示が入力されてから１枚目の静止画像が撮像されるまでの時間を指す。以下、「セルフタイマー時間」という。）とが一致する。
【００２１】
ステップＳ１０５において動画撮像制御部２０７による動画撮像が終了すると、ステップＳ１０６において静止画撮像制御部２０６は撮像部２０２を静止画撮像モードに設定し静止画像を撮像する。静止画撮像モードとは撮像部２０２の制御状態の一つであり、静止画撮像モードに設定された撮像部２０２は、動画撮像モードに設定された場合よりも多くの受光素子（例えば全ての受光素子）から電気信号を出力する。静止画撮像モードに設定された場合は、動画撮像モードに設定された場合よりも多くの受光素子から電気信号が出力されるため、動画撮像モードに設定された場合よりも解像度が高く画質が高い画像を撮像することが可能となる。
【００２２】
静止画撮像制御部２０６が静止画像を撮像すると、ステップＳ１０７において、動画撮像制御部２０７は撮像部２０２を動画撮像モードに設定し動画像の撮像を開始する。動画撮像制御部２０７は第二撮像時間が経過するまでカウンタ２０５の出力を監視し、ステップＳ１０８において第二撮像時間が経過すると、ステップＳ１０９において動画撮像を終了する。第二撮像時間は、予め撮像装置１において設定される値であり、静止画像が撮像された後に動画撮像制御部２０７が動画像を撮像する時間を表す。
【００２３】
図４は、第一実施形態の撮像装置１の動作の概略を表すタイムチャートである。図４Ａは、撮像装置１が図３のフローチャートのように動作した場合のタイムチャートである。撮像モードが動画付きセルフタイマーモードに設定された状態で撮像指示が入力されると、カウンタ２０５が計時を開始し、動画撮像制御部２０７が第一撮像時間の間だけ動画撮像を行う。第一撮像時間が経過すると、動画撮像制御部２０７は動画撮像を終了し、静止画撮像制御部２０６は静止画像を撮像する。そして、動画撮像制御部２０７は再び動画撮像を開始し、第二撮像時間が経過すると動画撮像を終了する。この場合、画像記録部２０４には、２つの動画像データと１つの静止画像データが記録される。
【００２４】
図４Ｂは、撮像装置１が動画付きセルフタイマーモードに設定された状態で複数枚の静止画像を自動的に撮像するように設定された場合の動作を表すタイムチャートである。このような設定は、操作部２０３のモード選択ボタン１０６等をユーザーが操作することによって行われる。
【００２５】
この場合、撮像モードが動画付きセルフタイマーモードに設定された状態で撮像指示が入力されると、カウンタ２０５が計時を開始し、動画撮像制御部２０７が第一撮像時間の間だけ動画撮像を行う。第一撮像時間が経過すると、動画撮像制御部２０７は動画撮像を終了し、静止画撮像制御部２０６は静止画像を撮像する。次に、動画撮像制御部２０７は再び動画撮像を開始し、第二撮像時間が経過すると動画撮像を終了し、静止画撮像制御部２０６は静止画像を撮像する。この後、動画撮像制御部２０７による第二撮像時間分の動画撮像と静止画撮像制御部２０６による静止画撮像とが、予め既定された回数繰り返されて処理が終了する。この場合、画像記録部２０４には、（既定回数＋１）の動画像データと、（既定回数＋１）の静止画像データが記録される。
【００２６】
このように構成された第一実施形態の撮像装置１では、撮像モードが動画付きセルフタイマーモードに設定されることにより、１回の撮像指示の入力に応じて、動画像及び静止画像の撮像が実行されるため、静止画像の撮像の際に動画像も記録することが可能となる。具体的には、静止画像が撮像されるまでの間の様子や静止画像が撮像された後の様子を動画像として記録することが可能となるため、ユーザーはこのような動画像を見ることによって静止画像を見る場合とは異なった楽しみを享受することができる。
【００２７】
また、第一実施形態の撮像装置１では、動画撮像制御部２０７によって動画撮像が開始されるタイミング及び終了するタイミングが、撮像指示入力時及び所定時間（第一撮像時間及び第二撮像時間）経過時として予め決まっているため、動画像データをバッファリングしておくための専用バッファを設ける必要が無く、装置の小型化やコストの軽減を実現させることが可能となる。すなわち、動画撮像が開始されるタイミングや終了するタイミングが予め決まっていない場合は、事後的に決定される各タイミングに応じて遡及的に動画像データを生成する必要があるため、一時的に撮像された動画像データをバッファリングしておくための専用バッファを設ける必要が生じてしまうが、第一実施形態の撮像装置１ではこのような専用バッファが不要となる。
【００２８】
＜変形例＞
動画撮像制御部２０７は第一撮像時間及び第二撮像時間を加算した時間分の動画像を一つの動画像データとして一度に撮像するように構成されても良い。このように構成された場合、静止画撮像制御部２０６は、動画撮像制御部２０７による動画像の撮像が終了した後に、動画像データから静止画像を切り出すことによって静止画像データを生成する。
【００２９】
図５は、撮像装置１がこのように変形して構成された場合の動作を表すフローチャートである。図５において、図３と同じ処理については同じ符号を付して説明を省く。ステップＳ１０３の後、動画撮像制御部２０７は、所定時間（第一撮像時間に第二撮像時間を加えた時間）が経過するまでカウンタ２０５の出力を監視し、ステップＳ２０１において所定時間が経過すると、ステップＳ２０２において動画撮像を終了する。そして、ステップＳ２０３において、静止画撮像制御部２０６は、画像記録部２０４に記録された動画像データから、撮像開始後第一撮像時間が経過した時点の画像を静止画像として切り出すことによって静止画像データを生成し、画像記録部２０４に静止画像データを記録する。このように構成されることにより、第一撮像時間における動画像と第二撮像時間における動画像とをシームレスな一つの動画像データとして記録することが可能となる。
【００３０】
［第二実施形態］
第二実施形態における撮像装置１は、動画撮像制御部２０７が画像記録部２０４の空き容量に基づいて動画像の撮像パラメータを変更する点で、第一実施形態における撮像装置１と異なり、他の構成は第一実施形態における撮像装置１と同じである。以下、第二実施形態の撮像装置１について、第一実施形態の撮像装置１と異なる点を説明する。
【００３１】
図６は、第二実施形態における撮像装置１の動作を表すフローチャートである。ステップＳ１０１において撮像モードが動画付きセルフタイマーモードに設定されている場合、動画撮像制御部２０７は画像記録部２０４における動画像データを記録できる記憶領域の空き容量を取得し、第一撮像時間及び第二撮像時間の動画像データ分の記憶容量が足りているか否か判定する。空き容量が不足している場合、ステップＳ３０２において、動画撮像制御部２０７は、動画撮像用の撮像パラメータを変更する。
【００３２】
動画撮像用の撮像パラメータとは、待機時間、第一撮像時間、第二撮像時間である。待機時間とは、撮像指示が入力されてから最初の動画像の撮像が開始されるまでの時間であり、第一実施形態では０秒に設定されている。待機時間と第一撮像時間との和はセルフタイマー時間に一致する。すなわち、空き容量が不足している場合には、動画撮像制御部２０７は待機時間を長くし第一撮像時間を短くすることによって、動画撮像によって生成される動画像データの容量を小さくし、空き容量不足を解消する。また、動画撮像制御部２０７は、第二撮像時間を短くすることによって空き容量不足を解消することもできる。動画撮像制御部２０７が、第一撮像時間のみを短くするか、第二撮像時間のみを短くするか、第一撮像時間及び第二撮像時間を短くするかは、ユーザーや設計者によって適宜設定される。
【００３３】
ステップＳ３０２において撮像パラメータが変更された後、又はステップＳ３０１において空き容量が不足していない場合、撮像装置１はユーザーが操作部２０３を操作して撮像指示が入力されるまで待機する。ステップＳ３０３において、ユーザーによって撮像指示が入力されると、ステップＳ３０４においてカウンタ２０５は計時を開始する。動画撮像制御部２０７は待機時間が経過するまでカウンタ２０５の出力を監視し、ステップＳ３０５において待機時間が経過すると、ステップＳ３０６において動画撮像制御部２０７は撮像部２０２を動画撮像モードに設定し動画像の撮像を開始する。その後、第一実施形態の撮像装置１の動作と同じように、ステップＳ１０４以降の処理が実行される。
【００３４】
図７は、第二実施形態の撮像装置１の動作の概略を表すタイムチャートである。図７は、撮像装置１が図６のフローチャートのように動作し、待機時間が０秒よりも長く設定された場合のタイムチャートである。この場合、撮像モードが動画付きセルフタイマーモードに設定された状態で撮像指示が入力されると、カウンタ２０５が計時を開始し、動画撮像制御部２０７は待機時間が経過するまで動画撮像を行わずに待機する。待機時間が経過すると、動画撮像制御部２０７は第一撮像時間（変更後の値）の間だけ動画撮像を行う。第一撮像時間が経過すると、動画撮像制御部２０７は動画撮像を終了し、静止画撮像制御部２０６は静止画像を撮像する。そして、動画撮像制御部２０７は再び動画撮像を開始し、第二撮像時間（変更後の値）が経過すると動画撮像を終了する。
【００３５】
このように構成された第二実施形態の撮像装置１では、画像記録部２０４の空き容量に基づいて動画像のパラメータが変更される。具体的には、待機時間、第一撮像時間、第二撮像時間が変更され、画像記録部２０４に記録可能な容量の動画像データが生成される。そのため、画像記録部２０４の容量不足によって撮像された動画像データが記録できないという状況を回避することが可能となる。
【００３６】
＜変形例＞
動画撮像制御部２０７は、動画撮像用の撮像パラメータとして動画像データの画素数、動画像データのフレームレート、動画像データの圧縮方式、動画像データの音質などの他のパラメータを変更することによって、空き容量の不足を解消するように構成されても良い。具体的には、空き容量が不足している場合に動画撮像制御部２０７は、動画像データの画素数を少なくすることや、フレームレートを低くすることや、圧縮方式を高圧縮の方式に変更することや、音質を低下させること等によって、生成される動画像データの容量を小さくし、空き容量不足を解消させても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【００３７】
１…撮像装置，  １０１…電源スイッチ，  １０２…レリーズ釦，  １０３…ストロボ，  １０４…鏡筒，１０５…ディスプレイ，  １０６…モード選択ボタン，  ２０１…撮像光学系，  ２０２…撮像部，  ２０３…操作部，  ２０４…画像記録部，  ２０５…カウンタ，  ２０６…制止画撮像制御部，  ２０７…動画撮像制御部
【図１】
2011010072.tif 000003
【図２】
2011010072.tif 000004
【図３】
2011010072.tif 000005
【図４】
2011010072.tif 000006
【図５】
2011010072.tif 000007
【図６】
2011010072.tif 000008
【図７】
2011010072.tif 000009